Podtech/llm-jp-corpus-v4-ja_patent huggingface dataset:
【誤訳訂正書】
【提出日】平成25年4月10日(2013.4.10)
【誤訳訂正１】
【訂正対象書類名】明細書
【訂正対象項目名】００２２
【訂正方法】変更
【訂正の内容】
【００２２】
具体的には、選択培地は、水に寒天と麦芽エキスを溶かして最初に準備される。寒天と麦芽エキスの濃度は、それぞれ天草1.5〜2.0%(wt/vol)、麦芽エキス1〜3%(wt/vol)である。オートクレーブ滅菌の後、上記溶液は40〜50度に冷やされて、抗生物質と樟脳油が加えられる。よく混合した後、溶液は所望のペトリ皿に注がれて、冷却および凝固され、選択培地を得る。抗生物質は、バクテリアの成長を抑制し、かつアンピシリン(ampicillin)とペニシリンG（これに限定するものではない）のようなペニシリン系抗生物質を封じ込める(include)ために使用される。樟脳油は、水カビ(water-mold)、ツチアオカビ（Trichoderma spp）およびアオカビ（Penicillium spp）のような菌類の成長を抑制するために使用されるが、牛樟茸の成長は抑制しない。
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記各周回体の周回を個別に停止させるべく操作される複数の停止操作手段と、
前記始動操作手段の操作に基づいて前記各周回体の周回を開始させるとともに、前記停止操作手段が操作されて停止指令が発生した場合に対応する周回体の周回を停止させるべく前記各周回体を制御する制御手段と、
前記役の抽選に当選し、前記表示窓から視認できる有効位置に当選役と対応する当選絵柄が所定の組合せを形成して停止した場合、入賞成立として特典を付与する特典付与手段と
を備えた遊技機において、
前記有効位置を複数設定する有効位置設定手段と、
前記各周回体のうち規定周回体について、前記複数の有効位置のうち第１有効位置を形成する第１位置の絵柄と、第２有効位置を形成する第２位置の絵柄と、を把握する第１把握手段と、
前記各周回体のうち前記規定周回体以外の周回体について、当該周回体における前記第１位置の絵柄と、前記第２位置の絵柄と、を把握する第２把握手段と、
前記役の抽選結果と前記第１把握手段及び前記第２把握手段の把握結果とに基づいて、前記第１有効位置及び前記第２有効位置における入賞に関わる判断を一括して行う入賞判断手段と
を備えたことを特徴とする遊技機。
【請求項２】
前記有効位置設定手段は、前記規定周回体について前記第１位置と前記第２位置を異なる位置に設定し、前記規定周回体以外の周回体について前記第１位置と前記第２位置を同一位置に設定することを特徴とする請求項１に記載の遊技機。
【請求項３】
前記役の抽選に当選した場合に当選情報を記憶する当選情報記憶手段と、前記第１把握手段の把握結果と前記第２把握手段の把握結果を合成した合成情報を導出する合成情報導出手段と、前記合成情報と前記当選情報記憶手段に記憶された当選情報を合成して入賞判断情報を導出する入賞判断情報導出手段とを備え、前記入賞判断手段は、前記入賞判断情報が第１結果情報である場合に入賞が成立した又は入賞成立の可能性があると判断し、前記入賞判断情報が第１結果情報でない場合に入賞が成立していない又は入賞成立の可能性がないと判断することを特徴とする請求項１又は請求項２に記載の遊技機。
【請求項４】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記停止操作手段が操作されて停止指令が発生した場合、対応する周回体の周回を停止させるように、且つ、前記役の抽選に当選するとともに前記停止操作手段が所定のタイミングで操作された場合には、当選している役と対応する当選絵柄が前記表示窓から視認できる有効位置に停止するように前記各駆動手段を停止駆動制御する停止駆動制御手段と、
前記有効位置に前記当選絵柄が所定の組合せを形成して停止した場合、入賞成立として特典を付与する特典付与手段と
を備えた遊技機において、
前記有効位置を複数設定する有効位置設定手段と、
前記各周回体を周方向にそれぞれ区画した複数の区画領域と、各区画領域に付された絵柄との対応関係を記憶する対応関係記憶手段と、
前記停止指令が発生した場合に、対応する周回体の各区画領域のうち、予め定めた規定位置に到達している到達区画領域を把握する到達区画領域把握手段と、
前記停止指令が発生した場合、前記到達区画領域把握手段の把握結果に基づいて、対応する周回体の各区画領域のうち、前記規定位置に停止させる停止区画領域を決定する停止区画領域決定手段と、
前記停止指令が発生してから対応する周回体が停止するまでの間に前記規定位置を通過させる区画領域数に関わる通過情報を前記区画領域毎に定めた通過情報群を記憶する通過情報群記憶手段と、
前記停止区画領域が決定されていない周回体を停止させる場合に用いる停止情報を導出する停止情報導出手段と、
前記停止情報を記憶する停止情報記憶手段と
を備え、
前記停止駆動制御手段は、前記停止区画領域決定手段の決定した停止区画領域が前記規定位置に停止するよう対応する駆動手段を停止駆動制御し、
前記停止区画領域決定手段は、
前記停止指令が発生したことに基づいて、予め定めた規定期間に前記規定位置に到達させることが可能な到達可能区画領域を把握する到達可能区画領域把握手段と、
前記停止情報記憶手段に記憶された前記到達区画領域及び前記到達可能区画領域の全停止情報を比較判定し、判定結果情報を導出する比較判定手段と、
前記通過情報群記憶手段に所定の通過情報群が記憶されているか否かを判定する判定手段と、
前記判定手段が前記所定の通過情報群が記憶されていると判定した場合、前記通過情報と前記到達区画領域とに基づいて判断用区画領域を導出する判断用区画領域導出手段と、
前記判定結果情報と対応する停止情報と、前記判断用区画領域の停止情報と、を比較判定し、当該判定結果が特定結果である場合には、前記判定結果情報に基づいて前記停止区画領域を導出し、前記判定結果が前記特定結果でない場合には、前記通過情報に基づいて前記停止区画領域を導出する停止区画領域導出手段と
を備え、
前記停止情報導出手段は、
前記各周回体のうち規定周回体について、前記複数の有効位置のうち第１有効位置を形成する第１位置の絵柄と、第２有効位置を形成する第２位置の絵柄と、を把握する第１把握手段と、
前記各周回体のうち前記規定周回体以外の周回体について、当該周回体における前記第１位置の絵柄と、前記第２位置の絵柄と、を把握する第２把握手段と、
前記役の抽選結果と前記第１把握手段及び前記第２把握手段の把握結果とに基づいて、前記第１有効位置及び前記第２有効位置における入賞成立の可能性を一括して判断する入賞可能性判断手段と
を備え、
前記停止情報記憶手段には、前記入賞可能性判断手段の判断結果と対応する入賞可能性情報を記憶する入賞可能性記憶領域を設けたことを特徴とする遊技機。
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記停止操作手段が操作されて停止指令が発生した場合、対応する周回体の周回を停止させるように、且つ、前記役の抽選に当選するとともに前記停止操作手段が所定のタイミングで操作された場合には、当選している役と対応する当選絵柄が前記表示窓から視認できる有効位置に停止するように前記各駆動手段を停止駆動制御する停止駆動制御手段と、
前記有効位置に前記当選絵柄が所定の組合せを形成して停止した場合、入賞成立として特典を付与する特典付与手段と
を備えた遊技機において、
前記有効位置を複数設定する有効位置設定手段と、
前記各周回体を周方向にそれぞれ区画した複数の区画領域と、各区画領域に付された絵柄との対応関係を記憶する対応関係記憶手段と、
前記停止指令が発生した場合に、対応する周回体の各区画領域のうち、予め定めた規定位置に到達している到達区画領域を把握する到達区画領域把握手段と、
前記停止指令が発生した場合、前記到達区画領域把握手段の把握結果に基づいて、対応する周回体の各区画領域のうち、前記規定位置に停止させる停止区画領域を決定する停止区画領域決定手段と、
前記停止区画領域が決定されていない周回体を停止させる場合に用いる停止情報を導出する停止情報導出手段と、
前記停止情報を記憶する停止情報記憶手段と
を備え、
前記停止駆動制御手段は、前記停止区画領域決定手段の決定した停止区画領域が前記規定位置に停止するよう対応する駆動手段を停止駆動制御し、
前記停止情報導出手段は、
前記各周回体のうち規定周回体について、前記複数の有効位置のうち第１有効位置を形成する第１位置の絵柄と、第２有効位置を形成する第２位置の絵柄と、を把握する第１把握手段と、
前記各周回体のうち前記規定周回体以外の周回体について、当該周回体における前記第１位置の絵柄と、前記第２位置の絵柄と、を把握する第２把握手段と、
前記役の抽選結果と前記第１把握手段及び前記第２把握手段の把握結果とに基づいて、前記第１有効位置及び前記第２有効位置における入賞成立の可能性を一括して判断する入賞可能性判断手段と
を備え、
前記停止情報記憶手段には、前記入賞可能性判断手段の判断結果と対応する入賞可能性情報を記憶する入賞可能性記憶領域を設けたことを特徴とする遊技機。
【請求項２】
前記区画領域と、前記区画領域が所定位置に到達した場合における前記第１位置の絵柄及び前記第２位置の絵柄と、の対応関係を周回体毎に定めた対応関係情報を予め記憶する記憶手段を備えたことを特徴とする請求項１に記載の遊技機。
【請求項３】
前記有効位置に前記各周回体の第１絵柄が停止した場合に所定特典を付与する所定特典付与手段を備え、前記対応関係記憶手段には、前記第１絵柄が前記第１位置と前記第２位置の一方に位置する場合の対応関係情報と、前記第１絵柄が前記第１位置と前記第２位置に共に位置する場合の対応関係情報と、を異ならせて記憶させたことを特徴とする請求項２に記載の遊技機。
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記各周回体の周回を個別に停止させるべく操作される複数の停止操作手段と、
前記始動操作手段の操作に基づいて前記各周回体の周回を開始させるとともに、前記停止操作手段が操作されて停止指令が発生した場合に対応する周回体の周回を停止させるべく前記各周回体を制御する制御手段と、
前記役の抽選に当選し、前記表示窓から視認できる有効位置に当選役と対応する当選絵柄が所定の組合せを形成して停止した場合、入賞成立として特典を付与する特典付与手段と
を備えた遊技機において、
前記有効位置を複数設定する有効位置設定手段と、
複数の有効位置からなる第１有効位置群の各有効位置を形成する第１形成位置の絵柄を周回体毎に把握する第１把握手段と、
前記第１有効位置群に含まれない有効位置を形成する第２形成位置の絵柄を周回体毎に把握する第２把握手段と、
前記役の抽選結果と前記第１把握手段の把握結果とに基づいて前記第１有効位置群に含まれる各有効位置における入賞に関わる判断を一括して行うとともに、前記役の抽選結果と前記第２把握手段の把握結果とに基づいて前記第１有効位置群に含まれない有効位置における入賞に関わる判断を行う入賞判断手段と
を備えたことを特徴とする遊技機。
【請求項２】
前記有効位置設定手段は、前記各周回体のうち少なくとも２つの周回体の当選絵柄が前記第１形成位置に停止した場合、他の周回体の当選絵柄が前記第１形成位置のいずれに停止した場合であっても前記第１有効位置群に含まれるいずれかの有効位置にて入賞成立となるよう前記第１有効位置群に含まれる各有効位置を設定することを特徴とする請求項１に記載の遊技機。
【請求項３】
前記有効位置設定手段は、第１有効位置群に含まれない有効位置を複数設定するものであって、前記各周回体のうち少なくとも２つの周回体の当選絵柄が前記第２形成位置に停止した場合、他の周回体の当選絵柄が前記第２形成位置のいずれに停止した場合であっても前記第１有効位置群に含まれない複数の有効位置のいずれかにて入賞成立となるよう前記第１有効位置群に含まれない複数の有効位置を設定し、前記入賞判断手段は、前記役の抽選結果と前記第２把握手段の把握結果とに基づいて前記第１有効位置群に含まれない複数の有効位置における入賞に関わる判断を一括して行うことを特徴とする請求項１又は請求項２に記載の遊技機。
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
光源から出射された光束を測定光と参照光に分け、測定光を被検眼眼底に導き，参照光を参照光学系に導いた後、眼底で反射した測定光と参照光との合成により得られる干渉光を受光素子に受光させる干渉光学系と、
前記干渉光学系の光路中に配置され，被検眼眼底上で横断方向に前記測定光を走査させるために前記測定光の進行方向を変える光スキャナと、
を備え、前記受光素子からの信号に基づいて被検眼の眼底断層画像を取得するＯＣＴ装置において、
被検眼の眼底正面画像を撮像する眼底撮像光学系を有し、予め取得された眼底正面画像に対し複数のテンプレート画像を設定し、前記複数のテンプレート画像を用いて、前記眼底撮像光学系によって取得された眼底正面画像である計測画像に対してテンプレートマッチングを行うことによって、被検眼眼底の回転運動による前記測定光の眼底上の走査位置のずれを検出する位置ずれ検出手段と、
該位置ずれ検出手段から出力される検出信号に基づいて前記光スキャナの駆動を制御し、前記回転運動による前記測定光の眼底上の走査位置のずれを補正する走査位置補正手段と、
を備えることを特徴とするＯＣＴ装置。
【請求項２】
請求項１のＯＣＴ装置において、
前記位置ずれ検出手段は、前記複数のテンプレート画像として、少なくとも３つ以上のテンプレート画像を設定することを特徴とするＯＣＴ装置。
【請求項３】
請求項１のＯＣＴ装置において、
前記位置ずれ検出手段は、前記複数のテンプレート画像として、少なくとも４つ以上のテンプレート画像を同心円上に配置したことを特徴とするＯＣＴ装置。
【請求項４】
光源から出射された光束を測定光と参照光に分け、測定光を被検眼眼底に導き，参照光を参照光学系に導いた後、眼底で反射した測定光と参照光との合成により得られる干渉光を受光素子に受光させる干渉光学系と、
前記干渉光学系の光路中に配置され，被検眼眼底上で横断方向に前記測定光を走査させるために前記測定光の進行方向を変える光スキャナと、
を備え、前記受光素子からの信号に基づいて被検眼の眼底断層画像を取得するＯＣＴ装置において、
被検眼の眼底正面画像を撮像する眼底撮像光学系を有し、予め取得された眼底正面画像に対し複数のテンプレート画像を設定し、前記複数のテンプレート画像を用いて、前記眼底撮像光学系によって取得された眼底正面画像である計測画像に対してテンプレートマッチングを行うことによって、被検眼眼底の回転運動による前記測定光の眼底上の走査位置のずれを検出する位置ずれ検出手段を備えることを特徴とするＯＣＴ装置。
【手続補正２】
【補正対象書類名】明細書
【補正対象項目名】発明の名称
【補正方法】変更
【補正の内容】
【発明の名称】ＯＣＴ装置
【手続補正３】
【補正対象書類名】明細書
【補正対象項目名】０００１
【補正方法】変更
【補正の内容】
【０００１】
本発明は、被検眼眼底の断層画像を取得するＯＣＴ装置に関する。
【手続補正４】
【補正対象書類名】明細書
【補正対象項目名】０００５
【補正方法】変更
【補正の内容】
【０００５】
本発明は、上記問題点を鑑み、眼球回旋を考慮して走査位置のずれを検出できる、又は眼球回旋による走査位置のずれを補正できるＯＣＴ装置を提供することを技術課題とする。
【手続補正５】
【補正対象書類名】明細書
【補正対象項目名】０００７
【補正方法】変更
【補正の内容】
【０００７】
（１）  光源から出射された光束を測定光と参照光に分け、測定光を被検眼眼底に導き，参照光を参照光学系に導いた後、眼底で反射した測定光と参照光との合成により得られる干渉光を受光素子に受光させる干渉光学系と、
前記干渉光学系の光路中に配置され，被検眼眼底上で横断方向に前記測定光を走査させるために前記測定光の進行方向を変える光スキャナと、
を備え、前記受光素子からの信号に基づいて被検眼の眼底断層画像を取得するＯＣＴ装置において、
被検眼の眼底正面画像を撮像する眼底撮像光学系を有し、予め取得された眼底正面画像に対し複数のテンプレート画像を設定し、前記複数のテンプレート画像を用いて、前記眼底撮像光学系によって取得された眼底正面画像である計測画像に対してテンプレートマッチングを行うことによって、被検眼眼底の回転運動による前記測定光の眼底上の走査位置のずれを検出する位置ずれ検出手段と、
該位置ずれ検出手段から出力される検出信号に基づいて前記光スキャナの駆動を制御し、前記回転運動による前記測定光の眼底上の走査位置のずれを補正する走査位置補正手段と、
を備えることを特徴とするＯＣＴ装置。
（２）  （１）のＯＣＴ装置において、
前記位置ずれ検出手段は、前記複数のテンプレート画像として、少なくとも３つ以上のテンプレート画像を設定することを特徴とする。
（３）  （１）のＯＣＴ装置において、
前記位置ずれ検出手段は、前記複数のテンプレート画像として、少なくとも４つ以上のテンプレート画像を同心円上に配置したことを特徴とする。
（４）  光源から出射された光束を測定光と参照光に分け、測定光を被検眼眼底に導き，参照光を参照光学系に導いた後、眼底で反射した測定光と参照光との合成により得られる干渉光を受光素子に受光させる干渉光学系と、
前記干渉光学系の光路中に配置され，被検眼眼底上で横断方向に前記測定光を走査させるために前記測定光の進行方向を変える光スキャナと、
を備え、前記受光素子からの信号に基づいて被検眼の眼底断層画像を取得するＯＣＴ装置において、
被検眼の眼底正面画像を撮像する眼底撮像光学系を有し、予め取得された眼底正面画像に対し複数のテンプレート画像を設定し、前記複数のテンプレート画像を用いて、前記眼底撮像光学系によって取得された眼底正面画像である計測画像に対してテンプレートマッチングを行うことによって、被検眼眼底の回転運動による前記測定光の眼底上の走査位置のずれを検出する位置ずれ検出手段を備えることを特徴とする。
【手続補正６】
【補正対象書類名】明細書
【補正対象項目名】０００８
【補正方法】変更
【補正の内容】
【０００８】
本発明によれば、眼球回旋を考慮して走査位置のずれを検出できる、又は眼球回旋による走査位置のずれを補正できる。
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
遊技球の通過を検出する球検出手段と、
電波を検出する電波検出手段と、
前記電波検出手段によって検出した電波の発信態様を判別する判別手段と、
前記判別手段による判別結果に基づき、検出した電波の発信態様に応じて異なる処理を実行可能な制御手段とを備えたことを特徴とする遊技機。
【請求項２】
前記判別手段は、
少なくとも前記電波検出手段によって検出した電波の発信継続時間を判別し、
前記制御手段は、
前記電波の発信継続時間に応じて異なる処理を実行することを特徴とする請求項１に記載の遊技機。
【請求項３】
前記球検出手段は、遊技球の通過に伴う磁束の変化に基づき当該遊技球の通過を検出可能なものであることを特徴とする請求項１又は２に記載の遊技機。
【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
インクを吐出する記録ヘッドと、該記録ヘッドへ供給されるインクを収容するインクタンクと、該インクタンクから前記記録ヘッドへインクを供給する供給経路と、を備える液体吐出装置において、
前記インクタンク内のインクに圧力を付与する圧力付与手段と、
前記供給経路内の圧力を検知する圧力検知手段と、
前記圧力付与手段によって前記インクタンク内のインクに圧力が付与されているときに前記圧力検知手段によって検知された結果に基づいて、前記供給経路に異常があるか判定する判定手段と、を備えることを特徴とする液体吐出装置。
【請求項２】
前記判定手段は、前記圧力付与手段によって圧力が付与されているときに前記圧力検知手段によって得られる第１の値と前記圧力付与手段によって圧力が付与されていないときに前記圧力検知手段によって得られる第２の値に基づいて判定することを特徴とする請求項１に記載の液体吐出装置。
【請求項３】
前記インクタンク内のインクを攪拌する攪拌部材をさらに備え、前記判定手段は、前記攪拌部材によって攪拌動作が行われているときに前記圧力検知手段によって検知された結果に基づいて判定することを特徴とする請求項１に記載の液体吐出装置。
【請求項４】
前記判定手段は、前記攪拌動作が行われているときに前記圧力検知手段によって得られる第１の値と前記攪拌動作を行っていないときに前記圧力検知手段によって得られる第２の値に基づいて判定することを特徴とする請求項３に記載の液体吐出装置。
【請求項５】
前記判定手段は、前記第１の値を前記第２の値で除して得られる値に基づいて判定することを特徴とする請求項４に記載の液体吐出装置。
【請求項６】
前記インクタンク内のインクは顔料インクであることを特徴とする請求項３ないし５のいずれか１項に記載の液体吐出装置。
【請求項７】
前記液体吐出装置に前記インクタンクが装着されたことを検知する装着検知手段をさらに備え、前記判定手段は、前記装着検知手段によって前記インクタンクが装着されたことが検知されたときに前記供給経路に異常があるか判定することを特徴とする請求項１ないし６のいずれか１項に記載の液体吐出装置。
【請求項８】
前記供給経路の前記圧力検知手段よりも前記インクタンク側に設けられた差圧弁と、前記記録ヘッドからインクを吸引するための吸引手段と、を備え、前記判定手段は、前記吸引手段を前記差圧弁の閉弁圧力よりも大きな負圧で作動させたときに前記圧力検知手段によって検知された結果に基づいて判定することを特徴とする請求項１ないし７のいずれか１項に記載の液体吐出装置。
【請求項９】
前記吸引手段は、記録ヘッドのノズル部に当接可能なキャップと、該キャップ内を負圧状態にして前記ノズル部からインクを排出するための吸引ポンプと、を有することを特徴とする請求項８に記載の液体吐出装置。
【請求項１０】
前記判定手段は、前記吸引手段を作動させたときに前記圧力検知手段によって負圧が上昇したことを検知できなかった場合は、前記供給経路に異常があると判断することを特徴とする請求項８または９に記載の液体吐出装置。
【手続補正２】
【補正対象書類名】明細書
【補正対象項目名】０００９
【補正方法】変更
【補正の内容】
【０００９】
本発明は、上記目的を達成するため、インクを吐出する記録ヘッドと、該記録ヘッドへ供給されるインクを収容するインクタンクと、該インクタンクから前記記録ヘッドへインクを供給する供給経路と、を備える液体吐出装置において、前記インクタンク内のインクに圧力を付与する圧力付与手段と、前記供給経路内の圧力を検知する圧力検知手段と、前記圧力付与手段によって前記インクタンク内のインクに圧力が付与されているときに前記圧力検知手段によって検知された結果に基づいて、前記供給経路に異常があるか判定する判定手段と、を備えることを特徴とする。
【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
被加工面の研削、研磨、表面処理、洗浄、バリ取り等の各種加工をする為のバリ取りブラシにおいて、前記バリ取りブラシは、複数本のブラシ片を束ねたブラシ部、及び底部が閉塞された筒状の基台を有し、該基台の内側面に凹部が形成されてあり、該凹部に接着剤が入り込んであると共に、前記ブラシ部は、前記接着剤を介して前記基台に固定されてあることを特徴とするバリ取りブラシ。
【請求項２】
凹部は、ねじ状の溝部にて形成されてあることを特徴とする請求項１に記載のバリ取りブラシ。
【請求項３】
凹部は、リング状の溝部にて形成されてあることを特徴とする請求項１に記載のバリ取りブラシ。
【請求項４】
凹部は、基台の開口部側の深さが前記基台の底部側の深さより大の溝部にて形成されてあることを特徴とする請求項１〜３のいずれか１項に記載のバリ取りブラシ。
【請求項５】
基台の内側面に前記基台の底部に向って広がりを有するテーパ部が形成されてあることを特徴とする請求項１〜４のいずれか１項に記載のバリ取りブラシ。
【手続補正２】
【補正対象書類名】明細書
【補正対象項目名】０００８
【補正方法】変更
【補正の内容】
【０００８】
上記従来の課題を解決する為に、請求項１の発明は、被加工面の研削、研磨、表面処理、洗浄、バリ取り等の各種加工をする為のバリ取りブラシにおいて、前記バリ取りブラシは、複数本のブラシ片を束ねたブラシ部、及び底部が閉塞された筒状の基台を有し、該基台の内側面に凹部が形成されてあり、該凹部に接着剤が入り込んであると共に、前記ブラシ部は、前記接着剤を介して前記基台に固定されてあることを特徴としている。したがって、接着剤が充填された基台にブラシ部の一端を押し込むことによって、ブラシ部の端部底面は、基台の底部に固着される。また、ブラシ部の端部によって押出された接着剤は、束ねられたブラシ片間の隙間に入り込むと共に、基台の内側面に形成された凹部に入り込む事により、ブラシ部の端部側面に接着剤が塗付され、接着層を形成するので、ブラシ片と基台は、接着剤が凹部に入り込んで形成された接着層により、一体的に固着される。その時、基台の内側面の接着面積は、基台の内側面に凹部が形成されていない形態に比べて、増大する。その為、基台の内側面に凹部が形成されていない形態に比べて、引っ張り強度が増し、ブラシ片の抜け止めを確実に行なうことができる。また、ブラシ部に衝撃、振動等が加わった場合においても、凹部に形成された固体化した接着層がブラシ部の基台からの抜け方向にたいして引っ掛かる為、基台の内側面に凹部が形成されていない形態に比べて、さらに引っ張り強度が増し、ブラシ片の抜け止めを確実に行なうことができる。また、特に、ブラシ片の長手方向に対して波状等の凹凸部が形成されたブラシ片を使用した場合には、波状の凸部が、基台の内側面に形成された凹部に入り込む為、ブラシ片の長手方向に対して直線状のブラシ片を使用した場合に比べて、より引っ張り強度が増し、ブラシ片の抜け止めを確実に行なうことができる。
【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
既設の建造物の表面に対面させた複数の鋼板を、該表面に沿って水平方向に配列して前記表面を覆う鋼板配列工程と、
前記建造物の表面と、前記鋼板との間に、グラウト材を充填するグラウト材充填工程と、
を備え、
前記複数の鋼板の水平方向に互いに隣接する側縁に、前記建造物側に突出して略上下方向に延びる縦リブが形成されており、前記鋼板配列工程において、隣接する該縦リブどうしを対向させた状態とすること
を特徴とする建造物の補強工法。
【請求項２】
隣接する前記縦リブは、直接重ね合わせて当接させた状態、または離間した状態、または縦リブ間に粘弾性部材を挟んだ状態のいずれかの状態であることを特徴とする請求項１に記載の建造物の補強工法。
【請求項３】
前記縦リブは、前記鋼板の側縁を折り曲げ加工して形成されていることを特徴とする請求項１または２に記載の建造物の補強工法。
【請求項４】
前記鋼板の表面に繊維シートを張って接着する繊維シート接着工程を有することを特徴とする請求項１〜３のいずれかに記載の建造物の補強工法。
【請求項５】
前記繊維シート接着工程で鋼板の表面に張られた前記繊維シートの表面に、仕上げ材としてモルタルを塗布するモルタル施工工程を有することを特徴とする請求項１〜４のいずれかに記載の建造物の補強工法。
【請求項６】
前記モルタル施工工程においては、前記繊維シートの表面に、含有セメントが微粒子状である微細モルタルを塗布する一次モルタル施工工程と、この微細モルタルの表面に二次モルタルを塗布する二次モルタル施工工程とを行うことを特徴とする請求項５に記載の建造物の補強工法。
【請求項７】
前記二次モルタルは、ポリマーセメントモルタルまたは繊維含有モルタル、もしくはこれらポリマーセメントモルタルおよび繊維含有モルタルの混合物であることを特徴とする請求項６に記載の建造物の補強工法。
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
β−セクレターゼによるアミロイド前駆体タンパク質（ＡβＰＰ）の切断を阻害しそし
てアミロイドβペプチド（Ａβ）の蓄積を阻害するようにＡβＰＰのβ−セクレターゼ切
断部位にまたがるエピトープに対する免疫応答を誘発する、抗原ペプチドの免疫化有効量
、および薬学的に許容され得る担体、希釈剤、賦形剤、アジュバント、または補助剤を含
む、免疫化組成物であって、該抗原ペプチドが、配列番号１又は配列番号１の部分からなり、ただし、該部分は、配列番号１の残基４〜８を含む、免疫化組成物。
【請求項２】
抗原ペプチドがディスプレイビヒクルの表面上に提示される、請求項１記載の免疫化組成物。
【請求項３】
ディスプレイビヒクルが、コア分子上に構築された、分枝を提供するように少なくとも
二官能性である、そしてそれに抗原ペプチドが共有結合によって連結される１６個までの
末端官能基を含む、樹状ポリマーを含む、請求項２記載の免疫化組成物。
【請求項４】
樹状ポリマーが、それに抗原ペプチドが連結される８個の末端官能基を含む、請求項３記載の免疫化組成物。
【請求項５】
抗原ペプチドが配列番号５、または配列番号１の残基１〜８を含む、請求項２記載の免
疫化組成物。
【請求項６】
抗原ペプチドが配列番号１の２つの重複する部分を含み、その各々がＶａｌ Ｌｙｓ Ｘａａ Ａｓｐ Ａｌａ（ここでＸａａはＭｅｔまたはＬｅｕである）を含む、請求項４記載の免疫化組成物。
【請求項７】
２つの重複する部分が同一である、請求項６記載の免疫化組成物。
【請求項８】
コア分子がリジンである、請求項３記載の免疫化組成物。
【請求項９】
樹状ポリマーに連結されたアジュバント特性を有する分子をさらに含む、請求項３記載の免疫化組成物。
【請求項１０】
抗原ペプチドがリポソームに被包されている、請求項１記載の免疫化組成物。
【請求項１１】
抗原ペプチドがウイルスディスプレイビヒクル上に提示される、請求項２記載の免疫化
組成物。
【請求項１２】
ウイルスディスプレイビヒクルが繊維状バクテリオファージである、請求項１１記載の
免疫化組成物。
【請求項１３】
抗原ペプチドが配列番号５、または配列番号１の残基１〜８を含む、請求項３または１１記載の免疫化組成物。
【請求項１４】
β−セクレターゼによるアミロイド前駆体タンパク質（ＡβＰＰ）の切断を阻害しそしてアミロイドβペプチド（Ａβ）の蓄積を阻害するようにＡβＰＰのβ−セクレターゼ切断部位にまたがるエピトープに対する免疫応答を誘発することができる、長さ６〜１４アミノ酸残基からなる単離された抗原ペプチドであって、該抗原ペプチドが、配列番号１又は配列番号１の部分からなり、ただし、該部分は、配列番号１の残基４〜８を含む、抗原ペプチド。
【請求項１５】
抗原ペプチドが配列番号１の残基１〜８を含む、請求項１４記載の単離された抗原ペプ
チド。
【請求項１６】
抗原ペプチドが配列番号５のアミノ酸配列を含む、請求項１４記載の単離された抗原ペ
プチド。
【手続補正書】
【提出日】平成24年11月21日(2012.11.21)
【手続補正１】
【補正対象書類名】明細書
【補正対象項目名】００２１
【補正方法】変更
【補正の内容】
【００２１】
そして、このように表した模式図から、図５に示す如く本シミュレーション分析において、管部材の表面に当接した際の、飛石の形状を逆三角形と決定した。尚、本シミュレーション分析では、図５(ｂ)に示す如く飛石(２１)が管部材(１)に直接当たらないとした場合における管部材(１)と飛石(２１)との最短距離の限界値を1mmとし、模式図において管部材と飛石との距離が少なくとも1mm以上であれば、実際の走行時においても飛石が管部材に直接当たらないことを想定している。
【手続補正２】
【補正対象書類名】明細書
【補正対象項目名】００２４
【補正方法】変更
【補正の内容】
【００２４】
次に、上記シミュレーション分析を行った結果について、図７に示す如くフィン部材の湾曲頂部の対向間隔tとフィン部材の幅方向の突出高さL／フィン部材の湾曲頂部の対向間隔tとの関係をプロットしてグラフで表し、このプロットの近似曲線から、数式：y＝２．４６ｘ-0.29 (ｙ：管部材表面からのフィン部材の幅方向の突出高さ／フィン部材の湾曲頂部の対向間隔、ｘ：フィン部材の湾曲頂部の対向間隔)を導き出した。
【手続補正３】
【補正対象書類名】明細書
【補正対象項目名】００３９
【補正方法】変更
【補正の内容】
【００３９】
上記の如く作成した本実施例の熱交換器(２０)において、飛石試験を行った。この飛石試験は、自動車の走行中に車輪により路面の石が巻き上げられ飛来して当接することを想定した、自動車規格JASO M 104「ブレーキチューブ試験方法」に準じて実施した。本実施例の飛石試験の試験条件は、下記の通りである。
(1)空気圧力;0.4±0.03MPa
(2)吹付角度；直角
(3)吹付距離；350mm
(4)飛石量；850g
(5)回数；５回
(6)試験装置；グラベロメータ(スガ試験機株式会社製、JA400飛石試験機)
(7)飛石；品名「ＧＴ」型番「４」(株式会社チップトン製：エッジ部を有し、研磨作業で使用される一辺の長さ約10mmで高さ約8mmの略正三角柱状若しくは略正三角錐台状の研磨石)
【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
検出すべき被測定対象の変化に応じて振幅の値が変化する正弦波の信号を出力するセンサー素子と、
前記センサー素子が出力した前記正弦波の信号が入力され、前記正弦波の信号に基づき矩形波の信号を出力する増幅回路と、
前記正弦波の信号又は前記正弦波の信号のレベルを調整した正弦波の信号と、前記矩形波の信号とを、同期検波する同期検波回路と、
前記同期検波回路から出力された信号を積分する積分回路と、
を備えていることを特徴とするセンサー回路。
【請求項２】
検出すべき被測定対象の変化に応じて振幅の値が変化する正弦波の信号を出力するセンサー素子と、
前記センサー素子が出力した前記正弦波の信号が入力され、前記正弦波の信号に基づき矩形波の信号を出力する増幅回路と、
前記正弦波の信号又は前記正弦波の信号のレベルを調整した正弦波の信号と前記矩形波の信号との差に基づく信号を出力する差動増幅回路と、
前記差動増幅回路の出力信号と前記矩形波の信号とを同期検波する同期検波回路と、前記同期検波回路から出力された信号を積分する積分回路と、
を備えていることを特徴とするセンサー回路。
【請求項３】
前記積分回路は、抵抗と容量とを含むローパスフィルタを用いることを特徴とする請求項１又は２に記載のセンサー回路。
【手続補正２】
【補正対象書類名】明細書
【補正対象項目名】０００４
【補正方法】変更
【補正の内容】
【０００４】
しかしながら、従来のＣＩメーター法、π回路位相法、特許文献１に記載のＣＩ測定方法は、等価定数の測定精度は良好であるものの、等価定数の測定に調整時間を要し、加速度センサー等の慣性センサーに用いられるセンサー素子の等価抵抗値を高速で測定するには、不向きであるという問題があった。
本発明は上記問題を解決するためになされたもので、センサー素子の等価抵抗値を容易に高速測定するセンサー回路を提供することにある。
【手続補正書】
【提出日】平成25年2月5日(2013.2.5)
【手続補正１】
【補正対象書類名】特許請求の範囲
【補正対象項目名】全文
【補正方法】変更
【補正の内容】
【特許請求の範囲】
【請求項１】
モアレの周期的パターンを解析することで、位相情報を取得する解析方法であって、
前記モアレの周期的なパターンの少なくとも一部を、窓関数によって窓フーリエ変換する工程と、
前記窓フーリエ変換されたモアレにおける、前記位相情報を担うスペクトルの情報と、前記位相情報を担うスペクトルの情報に重畳している前記位相情報を担っていないスペクトルの情報とを解析的に分離し、前記位相波面を含む位相情報を取得する工程と、
を有することを特徴とする解析方法。
【請求項２】
前記解析的に分離するとは、
前記窓フーリエ変換された前記モアレにおける２点以上のデータから前記位相情報を担うスペクトルの情報と、
前記位相情報を担うスペクトルの情報に重畳している前記位相情報を担っていないスペクトルの情報とを方程式に基づく計算によって分離することであることを特徴とする請求項１に記載の解析方法。
【請求項３】
前記窓関数の半値全幅は、
前記位相情報を担うスペクトルと前記位相情報を担っていないスペクトルとが重畳しあう大きさであることを特徴とする請求項１または請求項２に記載の解析方法。
【請求項４】
前記位相情報を取得する工程は、
前記位相情報を担っていないスペクトルの情報を取得することを特徴とする請求項１乃至３のいずれか１項に記載の解析方法。
【請求項５】
前記位相情報を取得する工程は、
前記位相情報を担うスペクトルと、前記位相情報を担っていないスペクトルと、が重なっている波数空間上の座標におけるフーリエ成分から、前記位相情報を担うスペクトルに由来するフーリエ成分を分離することで、
前記位相情報を担っていないスペクトルの情報を前記位相情報を担うスペクトルの情報から分離することを特徴とする請求項１乃至４のいずれか１項に記載の解析方法。
【請求項６】
前記位相情報を担うスペクトルおよび前記位相情報を担っていないスペクトルのそれぞれが、前記窓関数の形状を有していると仮定してこれらのスペクトルの情報を解析的に分離することを特徴とする請求項１乃至５のいずれか１項に記載の解析方法。
【請求項７】
前記窓関数としてガウシアンを用いることを特徴とする請求項１乃至６のいずれか１項に記載の解析方法。
【請求項８】
請求項１乃至７に記載の解析方法を、コンピュータに実行させることを特徴とするプログラム。
【請求項９】
請求項８に記載のプログラムを記憶したことを特徴とするコンピュータが読み取り可能の記憶媒体。
【請求項１０】
Ｘ線の位相もしくは強度を変調する位相格子と、
前記位相格子からのＸ線の強度情報を検出する検出手段と、
前記検出手段で検出された強度情報から、前記検出手段により検出された周期パターンの位相情報を取得する演算手段と、を有するＸ線位相イメージング装置であって、
前記演算手段が、請求項１乃至７のいずれか１項に記載の解析方法で位相情報を取得することを特徴とするＸ線位相イメージング装置。
【請求項１１】
前記位相格子が、縞格子または市松格子で構成されていることを特徴とする請求項１０に記載のＸ線位相イメージング装置。
【手続補正２】
【補正対象書類名】明細書
【補正対象項目名】発明の名称
【補正方法】変更
【補正の内容】
【発明の名称】解析方法、プログラム、記憶媒体、Ｘ線位相イメージング装置
【手続補正３】
【補正対象書類名】明細書
【補正対象項目名】０００１
【補正方法】変更
【補正の内容】
【０００１】
本発明は、解析方法、プログラム、記憶媒体、Ｘ線位相イメージング装置に関する。
特に、任意の位相波面をもつ光などの入射波を干渉させて作成したモアレ（干渉縞もしくは強度パターン）等の周期的なパターンからもとの入射波の位相波面もしくは位相波面の微分を計算する技術に関するものである。
【手続補正４】
【補正対象書類名】明細書
【補正対象項目名】０００６
【補正方法】変更
【補正の内容】
【０００６】
本発明は、上記課題に鑑み、窓フーリエ変換法を用いた解析において、解像度の更なる向上を図ることが可能となる解析方法等の提供を目的とする。
【手続補正５】
【補正対象書類名】明細書
【補正対象項目名】０００７
【補正方法】変更
【補正の内容】
【０００７】
本発明は、モアレの周期的パターンを解析することで、位相情報を取得する解析方法であって、
前記モアレの周期的なパターンの少なくとも一部を、窓関数によって窓フーリエ変換する工程と、
前記窓フーリエ変換されたモアレにおける、前記位相情報を担うスペクトルの情報と、前記位相情報を担うスペクトルの情報に重畳している前記位相情報を担っていないスペクトルの情報とを解析的に分離し、前記位相波面を含む位相情報を取得する工程と、
を有することを特徴とする。
【手続補正６】
【補正対象書類名】明細書
【補正対象項目名】０００８
【補正方法】変更
【補正の内容】
【０００８】
本発明によれば、窓フーリエ変換法を用いた解析において、解像度の更なる向上を図ることが可能となる解析方法等を実現することができる。
【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
外周面に内輪軌道が形成された内輪と、内周面に外輪軌道が形成された外輪との間に、複数の転動体を保持器により転動自在に保持し、軸受内部空間に導電性グリースを充填するとともに導電性シールドにより封止してなる事務機器用転がり軸受において、
外輪軌道を形成する曲率半径（ｒ）及び内輪軌道を形成する曲率半径（ｒ）と、転動体外径（Ｒ）とが、ｒ／R＝３５〜５５％の関係にあることを特徴とする請求項１記載の事務機器用転がり軸受。
【請求項２】
外輪または内輪に形成したシール溝の傾斜面と、該外輪の内周面または該内輪の外周面とのなす角度θが、０°〜９０°であることを特徴とする請求項１記載の事務機器用転がり軸受。
【請求項３】
ｒ／R＝４０〜５０％であることを特徴とする請求項１または２記載の事務機器用転がり軸受。
【請求項４】
θが１０〜２０°であることを特徴とする請求項１〜３の何れか１項に記載の事務機器用転がり軸受。
【請求項５】
導電性グリースの基油が、鉱油系潤滑油、炭化水素系潤滑油、芳香族系潤滑油またはエーテル系潤滑油であることを特徴とする請求項１〜４の何れか１項に記載の事務機器用転がり軸受。
【手続補正２】
【補正対象書類名】明細書
【補正対象項目名】０００６
【補正方法】変更
【補正の内容】
【０００６】
上記目的を達成するために本発明は、以下の事務機器用転がり軸受を提供する。
（１）外周面に内輪軌道が形成された内輪と、内周面に外輪軌道が形成された外輪との間に、複数の転動体を保持器により転動自在に保持し、軸受内部空間に導電性グリースを充填するとともに導電性シールドにより封止してなる事務機器用転がり軸受において、
外輪軌道を形成する曲率半径（ｒ）及び内輪軌道を形成する曲率半径（ｒ）と、転動体外径（Ｒ）とが、ｒ／R＝３５〜５５％の関係にあることを特徴とする請求項１記載の事務機器用転がり軸受。
（２）外輪または内輪に形成したシール溝の傾斜面と、該外輪の内周面または該内輪の外周面とのなす角度θが、０°〜９０°であることを特徴とする上記（１）記載の事務機器用転がり軸受。
（３）ｒ／R＝４０〜５０％であることを特徴とする上記（１）または（２）記載の事務機器用転がり軸受。
（４）θが１０〜２０°であることを特徴とする上記（１）〜（３）の何れか１項に記載の事務機器用転がり軸受。
（５）導電性グリースの基油が、鉱油系潤滑油、炭化水素系潤滑油、芳香族系潤滑油またはエーテル系潤滑油であることを特徴とする上記（１）〜（４）の何れか１項に記載の事務機器用転がり軸受。
【手続補正書】
【提出日】平成25年1月10日(2013.1.10)
【手続補正１】
【補正対象書類名】明細書
【補正対象項目名】００１５
【補正方法】変更
【補正の内容】
【００１５】
また、図１０（ｂ）の形状の場合も、第２のリップ部３２ｂが同幅にて径方向に延びるように形成されているため、シールチェーンがオフセット状態となってシール潰し量が変化した場合に、この変化に対応しにくく接触圧が大きくなる部分と小さくなる部分との接触圧の差が大きくなると考えられる。なお、第１のリップ部３２ａに関しては、径方向中間部の幅が大きく基端部の幅が小さいため、該基端部で上記シール潰し量の変化を多少は吸収でき、図１０（ａ）の形状よりもオフセットによる接触圧の差を小さくできると考えられる。
【手続補正２】
【補正対象書類名】明細書
【補正対象項目名】００１８
【補正方法】変更
【補正の内容】
【００１８】
上記課題を解決するため、本発明は、インナーリンクプレート（１６）よりブシュ（１７）を一部突出し、該突出部（１７ａ）を囲むようにかつインナーリンクプレート（１６）とアウターリンクプレート（１８）との間に挟持されるようにリング状のシール部材（１３）を配置し、
前記シール部材（１３）は、自然状態における断面が十字形状からなり、中央基部（１３ｅ）と、該中央基部（１３ｅ）から内径方向に延びる第１のリップ部（１３ａ）と、前記中央基部（１３ｅ）から外径方向に延びる第２のリップ部（１３ｂ）と、前記中央基部（１３ｅ）から左右方向（図２、３の上下方向）に延びる第３及び第４のリップ部（１３ｃ）（１３ｄ）とを有し、
前記第１のリップ部（１３ａ）を、前記ブシュの突出部（１７ａ）先端と前記アウターリンクプレート（１８）との間に配置した状態で、アウターリンクプレート（１８）をインナーリンクプレート（１６）に接近する方向に移動して、前記シール部材（１３）が、前記ブシュの突出部（１７ａ）との接触に基づく回転モーメントにより捩られ、断面略々Ｘ字状に変形して前記インナーリンクプレート（１６）と前記アウターリンクプレート（１８）との間に挟持されてなる、シールチェーン（１１）に関する。
【手続補正３】
【補正対象書類名】明細書
【補正対象項目名】００２４
【補正方法】変更
【補正の内容】
【００２４】
好ましくは、自然状態において、前記第１及び第２のリップ部（１３ａ）（１３ｂ）のくびれ部（１３ｆ）の湾曲凹面（１３ｈ）は、前記シール部材（１３）の左右方向（図２、３の上下方向）の寸法の０．１２倍以上の曲率半径（ｒ２）を有する。なお、前記湾曲凹面（１３ｈ）の曲率半径（ｒ２）は、好ましくは前記シール部材の左右方向の寸法の０．２倍以下とし、より好ましくは０．１５倍以下とする。
【手続補正４】
【補正対象書類名】明細書
【補正対象項目名】００３５
【補正方法】変更
【補正の内容】
【００３５】
シール部材１３は、図２に示すように、ゴムなどの弾性材をリング状に形成したもので、自然状態にあって断面が十（プラス）字状で、左右方向（図１の上下方向）の幅寸法Ｈが前記クリアランスｉよりも大きい。例えば、ｉ／Ｈが５０〜７０％である。このようなシール部材１３は、前述の図９に示した場合と同様に、インナーリンクプレート１６とアウターリンクプレート１８との間に挟持される装着状態では、断面略々Ｘ字状となる。そして、ピン１２及びブシュ１７との間の軸受空間にグリース又はオイル等の潤滑剤を封入する。前記シール部材１３は、装着された状態でアウターリンクプレート１８及びインナーリンクプレート１６との間に所定量圧縮されているが、該シール部材１３の材料であるゴムは、比較的硬いものが用いられている。
【手続補正５】
【補正対象書類名】明細書
【補正対象項目名】００４２
【補正方法】変更
【補正の内容】
【００４２】
このような本実施形態の場合も、前述の図９で説明した場合と同様に、シール部材１３の配置を次のように行う。まず、前記第１のリップ部１３ａを、前記ブシュ突出部１７ａ先端と前記アウターリンクプレート１８との間に配置した状態で、アウターリンクプレート１８をインナーリンクプレート１６に接近する方向に移動する。すると、前記シール部材１３が、前記ブシュ突出部１７ａとの接触に基づく回転モーメントにより捩られ、断面略々Ｘ字状に変形して前記インナーリンクプレート１６と前記アウターリンクプレート１８との間に挟持される。
【手続補正６】
【補正対象書類名】明細書
【補正対象項目名】００４７
【補正方法】変更
【補正の内容】
【００４７】
また、前記Ａとシール部材１３の左右方向の幅Ｈとの関係をＡ：Ｈ＝０．３５〜０．４５：１とし、前記第１及び第２のリップ部１３ａ、１３ｂの突出量Ｌと前記Ｈとの関係をＬ：Ｈ＝０．４〜０．６：１とすることにより、シール部材１３の自然状態での左右方向の幅と径方向の幅との関係を適切にでき、装着状態で、各リップ部をプレート１６又は１８或はブシュ突出部１７ａに適切に当接させることができる。また、このような関係を有することにより、前記湾曲凹面１３ｈを適切な曲率半径により形成し易くなり、応力集中の緩和を図り易くなると共に、くびれ部１３ｆを適切に変形させ易くできる。例えば、突出量Ｌが小さ過ぎると、湾曲凹面１３ｈを適切な曲率半径とするためには、くびれ部１３ｆの幅が大きくなり過ぎて、このくびれ部１３ｆを変形させにくくなる。
【手続補正７】
【補正対象書類名】特許請求の範囲
【補正対象項目名】請求項１
【補正方法】変更
【補正の内容】
【請求項１】
インナーリンクプレートよりブシュを一部突出し、該突出部を囲むようにかつインナーリンクプレートとアウターリンクプレートとの間に挟持されるようにリング状のシール部材を配置し、
前記シール部材は、自然状態における断面が十字形状からなり、中央基部と、該中央基部から内径方向に延びる第１のリップ部と、前記中央基部から外径方向に延びる第２のリップ部と、前記中央基部から左右方向に延びる第３及び第４のリップ部とを有し、
前記第１のリップ部を、前記ブシュの突出部先端と前記アウターリンクプレートとの間に配置した状態で、アウターリンクプレートをインナーリンクプレートに接近する方向に移動して、前記シール部材が、前記ブシュの突出部との接触に基づく回転モーメントにより捩られ、断面略々Ｘ字状に変形して前記インナーリンクプレートと前記アウターリンクプレートとの間に挟持されてなる、シールチェーンにおいて、
自然状態において、前記第１のリップ部は、アール面又はそれに近い曲面により形成される断面円形又はそれに近い形状からなり、
前記第１及び第２のリップ部は、それぞれ、径方向中間部の幅が前記第３及び第４のリップ部の幅よりも大きく、前記径方向基端部に、前記径方向中間部よりも幅が狭く、前記第１及び第２のリップ部の左右方向両側面と前記第３及び第４のリップ部の径方向両端面とをそれぞれ湾曲凹面により連続させるくびれ部を有する、
ことを特徴とするシールチェーン。